(57)【要約】【課題】  遊技機の前面側からの鍵部材の係合解除を容易に行えないようにするための鍵構造を提案するもので、これによって、遊技機に対するいたずらや不正行為を未然に防ぐことを目的とする。【解決手段】  遊技機本体側の取付部Ｔ１に設けられた係合穴２６に対し前面部材３０の枠板部３２に設けられた鍵部材３４が係合し又は係合解除する鍵構造で、鍵部材は係合穴２６に係合する係合先端部３６を有する主軸部３５と、主軸部の後部に一体に形成された操作突部３７を備え、主軸部は枠板部３２の前面側に形成された保持部３３で回動かつその軸方向に前進後退自在に保持され、かつ操作突部は枠板部に形成された窓部４０を介して枠板部３２の裏面側に突出し、窓部はストッパ部４１、回動操作切欠部４２、移動操作切欠部４３とを有している。【選択図】        図３
2005152680.tif 000002
【特許請求の範囲】
【請求項１】
遊技機本体側の取付部に設けられた係合穴に対して前面部材の枠板部に設けられた鍵部材が係合し又は係合解除する鍵構造であって、
前記鍵部材は前記係合穴に係合する係合先端部を有する主軸部と、前記主軸部の後部に一体に形成された操作突部を備えているとともに、前記主軸部は前記枠板部の前面側に形成された保持部において回動かつその軸方向に前進後退自在に保持されており、かつ前記操作突部は前記枠板部に形成された窓部を介して該枠板部の裏面側に突出しており、
前記枠板部の窓部には、前記主軸部の前進状態において該主軸部の後退方向の移動を妨げるように前記操作突部を係止するストッパ部と、前記操作突部によって主軸部を回動することができる回動操作切欠部と、前記操作突部の回動状態において該操作突部を主軸部の後退方向へ移動することができる移動操作切欠部とを有している
ことを特徴とする遊技機の前面部材の鍵構造。
【請求項２】
前記鍵部材の主軸部と操作突部が単一の棒状部材を略Ｌ字状に折り曲げて形成されたＬ字状部材からなる請求項１に記載の遊技機の前面部材の鍵構造。
【請求項３】
前記枠板部に前記鍵部材の主軸部を常時前進側に付勢するためのばね部材が設けられている請求項１又は２に記載の遊技機の前面部材の鍵構造。
【請求項４】
前記窓部のストッパ部の下部に後退移動した前記操作突部を掛け止める後退掛止部が形成されている請求項１ないし３のいずれか１項に記載の遊技機の前面部材の鍵構造。
【請求項５】
前記遊技機本体側の取付部が遊技機本体の機枠に軸着された前枠に形成されており、かつ前記前面部材が前記前枠に開閉可能に軸着されたガラス枠部材である請求項１ないし４のいずれか１項に記載の遊技機の前面部材の鍵構造。
【請求項６】
前記ガラス枠部材の下部に球受け皿部材が前記前枠に対して開閉可能に軸着されている請求項５に記載の遊技機の前面部材の鍵構造。
【発明の詳細な説明】
【技術分野】
【０００１】
この発明はパチンコ遊技機等の遊技機に関し、特にはその前面部材の鍵構造に関する。
【背景技術】
【０００２】
従来のパチンコ遊技機等の遊技機においては、額縁形状からなる機枠と該機枠の前面側に一側の側端が軸着により取り付けられた前枠とを備え、該前枠の前面側に遊技盤を覆うガラスを保持するための金属製のガラス枠部材が軸着により取り付けられ、ガラス枠部材が前枠に対して開閉可能に構成されていた。しかし、ガラス枠部材は前枠から取り外し可能な構造とはなっていなかった。
【０００３】
しかるに、近年、この金属製のガラス枠部材に代えて樹脂製のガラス枠部材が用いられるようになり、この場合には該樹脂製のガラス枠部材に飾りランプ等を設け、ガラス枠部材にガラス保持以外の機能を持たせることも多くなり、そのためガラス枠部材に設けられた飾りランプ等の修理・交換や保守点検等のメンテナンスを効率的に行うため、前記ガラス枠部材を前枠から取り外すことが必要となった。
【０００４】
そこで、ガラス枠部材を前枠から取り外し可能な構成とするため、図８に示すように、ガラス枠部材の側端に、該ガラス枠部材に設けられた金属製の枠板部２０１に筒状の保持部２０２を形成し、図示しないばね部材によって常時前進方向Ｘに付勢された軸部を兼ねる鍵部材２０５を前記保持部２０２内に進退自在に挿通している。そして、常時は図８の（Ａ）のように、前記鍵部材２０５の主軸部２０６の先端部２０６Ａが、前枠に設けられた取付部２１０の係合穴２１１に突入し係合することによりガラス枠部材が前枠に取り付けられ、一方取り外し時には図８の（Ｂ）のように、前記鍵部材２０５の操作突部２０７を後退方向Ｙに移動して主軸部２０６の先端部２０６Ａを取付部２１０の係合穴２１１より抜去し係合を解除してガラス枠部材を前枠から取り外すようにしている。
【０００５】
しかしながら、上記構造においては、ガラス枠部材の枠板部２０１に機枠の取付部２１０を収容するための切り欠き部Ｏが設けられ、この切り欠き部Ｏは遊技機前面側に現出されるものであるため、該切り欠き部Ｏ内部の鍵部材２０５の主軸部２０６も遊技者等が容易に視認することができる。そのため、遊技者等がいたずらや不正行為を目的として前記切り欠き部Ｏ内に適宜の薄板部材等を挿入し前記鍵部材２０５の主軸部２０６を後退方向に移動して、その係合解除を比較的容易に行うことができるという問題があった。
【発明の開示】
【発明が解決しようとする課題】
【０００６】
この発明はこのような状況に鑑み提案されたもので、遊技機の前面側からの鍵部材の係合解除を容易に行えないようにするための鍵構造を提案するもので、これによって、遊技機に対するいたずらや不正行為を未然に防ぐことを目的とするものである。
【課題を解決するための手段】
【０００７】
ここに提案される請求項１の発明は、遊技機本体側の取付部に設けられた係合穴に対して前面部材の枠板部に設けられた鍵部材が係合し又は係合解除する鍵構造であって、前記鍵部材は前記係合穴に係合する係合先端部を有する主軸部と、前記主軸部の後部に一体に形成された操作突部を備えているとともに、前記主軸部は前記枠板部の前面側に形成された保持部において回動かつその軸方向に前進後退自在に保持されており、かつ前記操作突部は前記枠板部に形成された窓部を介して該枠板部の裏面側に突出しており、前記枠板部の窓部には、前記主軸部の前進状態において該主軸部の後退方向の移動を妨げるように前記操作突部を係止するストッパ部と、前記操作突部によって主軸部を回動することができる回動操作切欠部と、前記操作突部の回動状態において該操作突部を主軸部の後退方向へ移動することができる移動操作切欠部とを有していることを特徴とする遊技機の前面部材の鍵構造に係る。
【０００８】
また、請求項２の発明は、請求項１おいて、前記鍵部材の主軸部と操作突部が単一の棒状部材を略Ｌ字状に折り曲げて形成されたＬ字状部材からなる遊技機の前面部材の鍵構造に係る。
【０００９】
請求項３の発明は、請求項１又は２において、前記枠板部に前記鍵部材の主軸部を常時前進側に付勢するためのばね部材が設けられている遊技機の前面部材の鍵構造に係る。
【００１０】
請求項４の発明は、請求項１ないし３のいずれか１項において、前記窓部のストッパ部の下部に後退移動した前記操作突部を掛け止める後退掛止部が形成されている遊技機の前面部材の鍵構造に係る。
【００１１】
請求項５の発明は、請求項１ないし４のいずれか１項において、前記遊技機本体側の取付部が遊技機本体の機枠に軸着された前枠に形成されており、かつ前記前面部材が前記前枠に開閉可能に軸着されたガラス枠部材である遊技機の前面部材の鍵構造に係る。
【００１２】
請求項６の発明は、請求項５において、前記ガラス枠部材の下部に球受け皿部材が前記前枠に対して開閉可能に軸着されている遊技機の前面部材の鍵構造に係る。
【発明の効果】
【００１３】
この発明に係る遊技機の前面部材（ガラス枠部材，球受け皿部材）の鍵構造によれば、遊技機本体側の取付部に設けられた係合穴に対して前面部材の枠板部に設けられた鍵部材が係合し又は係合解除する構造であり、前記枠板部の窓部には鍵部材の操作突部を該鍵部材の主軸部の後退方向への移動を妨げるように係止するストッパ部と、前記操作突部により主軸部を回動することができる回動操作切欠部と、前記操作突部の回動状態において該操作突部を主軸部の後退方向へ移動することができる移動操作切欠部とを有することで、前記鍵部材の操作突部を段階的に操作して遊技機本体と前面部材の係合又は係合解除をするものである。従って、従来の鍵構造のように後退方向へ一回の操作ではその係合を解除することができず、また回動操作を必要とすることにより、外部からの係合解除は全く不可能である。それゆえ、遊技者等によるいたずらや不正目的による行為を未然に抑止することができる。
【００１４】
また、請求項２の発明によれば、鍵部材の主軸部と操作突部が単一の棒状部材を略Ｌ字状に折り曲げて形成されたＬ字状部材からなるため、前記主軸部と操作突部を溶接等により一体とする部材に比べて製造が容易となり、かつ高い強度の部材とすることができ、遊技機本体と前面部材の係合又は係合解除する操作部材として十分な強度が得られるものとなる。
【００１５】
さらに、請求項３の発明によれば、前記前面部材の枠板部に前記鍵部材の主軸部を常時前進側に付勢するためのばね部材が設けられており、該ばね部材の付勢力により鍵部材と遊技機本体側の取付部に設けられた係合穴との係合を強固なものとすることができ、前面部材を遊技機本体に取り付ける際には、前記鍵部材と係合穴の係合をばね部材の付勢力により容易に行うことができる。
【００１６】
加えて、請求項４の発明によれば、窓部のストッパ部の下部に後退移動した操作突部を掛け止める後退掛止部が形成されたものであるから、鍵部材をその後退位置で保持することができ、前面部材の取り付け及び取り外し上便宜である。
【発明を実施するための最良の形態】
【００１７】
以下添付の図面に基づき本発明の好適な実施形態を説明する。
図１はこの発明の一実施例の鍵構造を備えた遊技機のガラス枠部材の一部を切り欠いて表した全体正面図、図２はそのガラス枠部材の開放状態を表す斜視図、図３は鍵構造の要部を表す図２の符号３部分の拡大図、図４各図は図３の鍵構造の係合状態及び係合解除状態を表す正面図、図５は窓部の別の実施例を示す拡大図、図６各図はガラス枠部材下部及び球受け皿部材の取付構造を表す正面図、図７は図６の取付部材を示す断面図である。
【００１８】
図１及び図２に示す遊技機（図ではパチンコ遊技機）１０は、額縁形状からなる機枠１１と、該機枠１１に取り付けられた前枠２０と、該前枠２０に開閉可能に取り付けられたガラス枠部材３０と、同じく前枠２０に開閉可能に取り付けられた球受け皿部材（ここでは上側球受け皿部８１を有する上皿部材）８０とを備えている。図１は遊技機１０全体を示す正面図であり、同図の符号３部分は、前枠２０と前面部材であるガラス枠部材３０の取付構造の理解を容易にするためにガラス枠部材３０を部分的に切り欠いて表した部分である。図中の符号１２は前記機枠１１及び前枠２０ならびにガラス枠部材３０の閉状態（ロック状態）を解除操作するための鍵部、１３は前記前枠２０の球受け皿部材８０下方に設けられた下側球受け皿部、３０Ａは飾りランプ部等を有するガラス枠部材３０の樹脂製本体部、３０Ｂはガラス枠部、３１はガラス枠部材３０の開口部、３２はガラス枠部材の金属製枠板部、３２ｓは該枠板部３２の一側（ヒンジ側）の側端、Ｍは前記ガラス枠部材３０の裏面側に位置し図示しない複数の釘等の遊技球誘導部材を有する遊技盤、Ｅは遊技者の発射操作に応じて遊技球を遊技盤Ｍに向けて発射するための発射装置、Ｅ１は発射装置の操作レバー、Ｓは前記球受け皿部材８０に内蔵されて遊技者の遊技状態に応じて音声や効果音を発するスピーカである。
【００１９】
前枠２０は、図１に示すように、前記鍵部１２と反対側の側端２０ｓの上下２箇所に設けられたヒンジ部ｈ１，ｈ２を介して前記機枠１１の前面側に開閉及び着脱可能に軸着されている。この前枠２０の前面側には、図２に示すように、ガラス枠部材３０及び球受け皿部材８０の裏面側を収容するための窪み部２１が設けられているとともに、該窪み部２１内側に開口部２２が形成されており、該開口部２２を介して前枠２０の裏面側に配設された遊技盤Ｍが見えるようになっている。
【００２０】
また、この遊技機１０の前枠２０の側端２０ｓ前面側には、上から順に第１取付部Ｔ１（図３，４参照），第２取付部Ｔ２（図６，７参照），第３取付部Ｔ３（同），第４取付部Ｔ４（同）が設けられている。以下説明する。
【００２１】
前記前枠２０の一側（ヒンジ側）の側端２０ｓの上端部には、図３及び図４に示すように、上辺部２５が盤面方向に突出した略Ｌ字状の第１取付部材２４がねじＢ等により固定されている。この上辺部２５には第１取付部Ｔ１となる係合穴２６が設けられている。
【００２２】
これに対し、前記前枠２０の側端２０ｓの下端部から前記収容用窪み部２１の下端部付近までの間には、図６に示すように、上辺部６１及び下辺部６２が盤面方向に突出した略コ字状の第２取付部材６０がねじ等により固定されている。そして、第２取付部材６０の上辺部６１の上面側に突設された上側係合突部６３が第２取付部Ｔ２とされ、同じく上辺部６１の下面側に突設された下側係合突部６４が第３取付部Ｔ３とされ、また、前記下辺部６２に形成された係合穴６５が第４取付部Ｔ４とされる。なお、図６に示す実施例では、前記第２取付部Ｔ２及び第３取付部Ｔ３はガラス枠部材３０と球受け皿部材８０の間に位置するようになっており、前記第４取付部Ｔ４は前枠２０の前記窪み部２１の下端付近に位置している。
【００２３】
さらに、図７からよく理解されるように、前記第２取付部Ｔ２及び第３取付部Ｔ３を構成する突部６３及び６４は、単一の筒状又は柱状部材Ｗ１により一体的に形成された複合取付部Ｗとして構成されている。すなわち、前記複合取付部Ｗとなる筒状又は柱状部材Ｗ１は、第２取付部材６０の上辺部６１に形成された貫通穴６７内に溶接等により固着されている。図７中の符号６８は単一の筒状又は柱状部材Ｗ１が下方に抜けないようにその外周に設けられたフランジ部である。なお、この実施例では単一の筒状又は柱状部材Ｗ１で突部６３及び６４を構成したが、これに限らず、複数の部材を組み合わせてもよい。図７の符号６９は第２取付部材６０を前枠２０に固定するボルト等のために形成された取付孔である。
【００２４】
前面部材であるガラス枠部材３０は、前記遊技盤Ｍを可視的に覆うものであり、その一側（ヒンジ側）の側端３０ｓが前記前枠２０の前面側に開閉可能に取り付けられる。この実施例のガラス枠部材３０は、前枠２０の開口部２２を覆う額縁形状からなり、図１及び図２に示すように、合成樹脂製本体３０Ａの裏面側に設けられた金属製の枠板部３２を備えている。
【００２５】
なお、この実施例では、図２に示すように、前記金属製の枠板部３２がガラス枠部材３０の裏面側に一体に設けられるため、枠板部３２を別成形する場合に比して部品点数が少なくなり、コストが軽減できるとともに、前記枠板部３２をガラス枠部材３０に取り付ける作業工程を減らし、該枠板部３２の製造、修理等の作業効率を向上させることができる。また、特にガラス枠部材３０の強度を金属製の枠板部３２により向上させることができる。
【００２６】
前記金属製の枠板部３２の一側端３２ｓの上端部には前記前枠２０の第１取付部Ｔ１の係合穴２６と係合する第１係合部Ｋ１が、下端部には前記前枠２０の第２取付部Ｔ２の突部６３と係合する第２係合部Ｋ２が設けられる。以下説明する。
【００２７】
金属製の枠板部３２における一側端３２ｓの上端部の前面側には、図３及び図４に示すように、筒状の保持部３３が形成されており、該保持部３３内を第１鍵部材３４が回動かつその軸方向に前進後退自在に保持されている。そして、前記第１鍵部材３４の係合先端部３６が前記前枠２０の第１取付部Ｔ１の係合穴２６に係合又は係合解除可能な第１係合部Ｋ１を形成し、該第１係合部Ｋ１が前記第１取付部Ｔ１に対し抜き差し可能な鍵構造となっている。
【００２８】
請求項１の発明として規定し図３及び図４に示すように、この第１鍵部材３４は、前記前枠２０の第１取付部Ｔ１に係合する係合先端部３６（第１係合部Ｋ１）を有する主軸部３５と、該主軸部３５の後部に一体に形成された操作突部３７を備えている。なお、この第１鍵部材３４は、請求項２の発明として規定するように、その主軸部３５と操作突部３７が単一の棒状部材を略Ｌ字状に折り曲げて形成されたＬ字状部材により構成することが製作上有利である。
【００２９】
また、前記金属製の枠板部３２の一側端３２ｓの上端部における保持部３３の下方位置には、図３及び図４に示すように、前記第１鍵部材３４の操作突部３７を前記枠板部３２の前面側から裏面側（遊技盤Ｍ側）へ突出させる窓部４０が形成されている。そして、この窓部４０には、ストッパ部４１、回動操作切り欠き部４２、移動操作切り欠き部４３が形成される。
【００３０】
図３に図示したように、ストッパ部４１は、前記第１鍵部材３４の主軸部３５の前進状態（図３では上方）において、該主軸部３５の後退方向（図３では下方）への移動を妨げるように第１鍵部材３４の操作突部３７を係止する部分である。また、回動操作切り欠き部４２は、前記操作突部３７に人の指等で力を加えることにより第１鍵部材３４の主軸部３５を回動させることができる部分である。さらに、移動操作切り欠き部４３は、前記第１鍵部材３４の操作突部３７の回動状態において、該操作突部３７を主軸部３５の後退方向（図３では下方）へ移動することができる部分である。
【００３１】
この実施例では、請求項３の発明として規定するように、前記枠板部３２の裏面側における一側端３２ｓに、前記第１鍵部材３４の主軸部３５を常時前進方向（図では上方）へ付勢するためのばね部材４５が設けられている。従って、図４（Ａ）から理解されるように、このばね部材４５により前記前枠２０の第１取付部Ｔ１とガラス枠部材３０の第１係合部Ｋ１の係合時に、前記第１鍵部材の操作突部３７に力を加えない限り、前記第１係合部Ｋ１が第１取付部Ｔ１から抜けないような構造になっている。なお、図示の例では、ばね部材４５の一端が第１鍵部材３４の操作突部３７に、他端が枠板部３２の裏面側に設けられたフック部３２ｆに掛着されている。図３中の符号Ｏは、前枠２０に固定される第１取付部材２４の上辺部２５（第１取付部Ｔ１）を挿通するために枠板部の一側端３２ｓに形成された切り欠き部である。
【００３２】
前記第１取付部Ｔ１と第１係合部Ｋ１の係合状態を解除する場合は、まず前記窓部４０を介して枠部材３２の裏面側へ突出した第１鍵部材３４の操作突部３７をその主軸部３５の後退方向である前記ストッパ部４１に向けて移動させる。続いて前記第１鍵部材３４の操作突部３７を前記回動操作切欠部４２内で前記枠板部３２の内側（図３では左方）に回動させ、その後操作突部３７を回動させたままの状態で該操作突部３７を前記移動操作切欠部４３内で下方へ押し下げることにより、第１鍵部材３４をその主軸部３５の後退方向に移動させる。これにより、図４（Ｂ）のように、第１鍵部材３４の係合先端部３６が第１取付部Ｔ１の係合穴２６から抜去され、第１取付部Ｔ１と第１係合部Ｋ１の係合状態が解除される。
【００３３】
図５は窓部の別の実施例を示すもので、請求項４の発明として規定したように、窓部４０Ａのストッパ部４１の下部に後退移動した前記操作突部３７Ｒを掛け止める後退掛止部４４が形成されたものである。なお、図において説明のためばね部材４５の一部を省略して表した。この後退掛止部４４は後退移動した第１鍵部材３４をその後退位置で保持するもので、前面部材であるガラス枠部材３０の取り付け及び取り外しの便宜上必要により設けられる。
【００３４】
前記枠板部３２の裏面側における一側の側端３２ｓの下端部には、図６のように、枠板部３２を盤面側に略垂直に折り曲げられるようにして下側立片３９が設けられており、該下側立片３９に形成された係合穴４８が前記前枠２０の第２取付部Ｔ２である係合突部６３と係合する第２係合部Ｋ２となる。なお、この構造からも解るように、この実施例では、前記第１取付部Ｔ１と第１係合部Ｋ１の係合が解除されれば、前記第２取付部Ｔ２と第２係合部Ｋ２の係合解除は抜去により容易になされ、ガラス枠部材３０は前枠２０から取り外し可能となる。
【００３５】
次に、球受け皿部材８０の取付構造について説明すると、この球受け皿部材８０はその一側の側端が前記前枠２０前面側のガラス枠部材３０の下方に軸支構造によって、前枠２０に対して開閉可能に取り付けられている。この球受け皿部材８０は、図１及び図２に示すように、賞品球や貸球を受ける上側球受け皿部８１を備えており、この実施例では、前記球受け皿部材８０が合成樹脂からなっているため、球受け皿部材８０を軽量かつ成形容易なものとすることができる。
【００３６】
また、前記球受け皿部材８０における裏面側の一側の側端の上端部には前記前枠２０の第３取付部Ｔ３と係合する第３係合部Ｋ３が、下端部には前記前枠２０の第４取付部Ｔ４と係合する第４係合部Ｋ４が設けられている。以下に、説明する。
【００３７】
球受け皿部材８０における裏面側の一側の側端には、図６に示すように、固定板部９１と該固定板部９１の上下両辺部間に盤面方向に立設された上立片９２，中立片９３，下立片９４よりなる取付部材９０が固定されている。そして、前記上立片９２には係合穴９５が形成され、該係合穴９５が、前記前枠２０の第３取付部Ｔ３である係合突部６４に係合する第３係合部Ｋ３となっている。
【００３８】
また、前記取付部材９０の中立片９３及び下立片９４にはそれぞれ貫通穴９６，９７が形成されると共に、該貫通穴９６，９７内に主軸部１０１が回動かつその軸方向に前進後退自在に挿通されるように第２鍵部材１００が配設される。そして、前記第２鍵部材１００の主軸部１０１の先端部（下端部）１０２が、前記前枠２０の第４取付部Ｔ４である係合穴６５に係合又は係合解除可能な第４係合部Ｋ４として構成されている。符号１０３は操作突部である。なお、この第２鍵部材１００についても、前記第１鍵部材３４と同様に、その主軸部１０１と操作突部１０３が金属等の単一の棒状部材を略Ｌ字形状に折り曲げて形成されたＬ字状部材により構成されている。また、この実施例では、第２鍵部材１００を回動かつその軸方向に前進後退自在とするため前記各立片９３，９４に貫通穴９６，９７を設けているが、これに代えて、前記第１鍵部材３４と同様に、筒状の保持部に前記第２鍵部材１００を回動かつ前進後退可能に保持するような構成にしてもよい。
【００３９】
さらに、前記中立片９３の上方位置には、図示しないが、前記ガラス枠部材３０の枠板部３２に設けられた窓部４０と同様に、前記第２鍵部材１００の操作突部１０３を取付部材９０の前面側から裏面側へ突出させる窓部が形成されている。この窓部は前記したところのストッパ部、回動操作切り欠き部、移動操作切り欠き部を有している。
【００４０】
加えてこの実施例では、前記取付部材９０の裏面側には、第２鍵部材１００の主軸部１０１を常時前進方向（図６では下方）へ付勢するためのばね部材１１０が設けられている。従って、図６（Ａ）からよく解るように、このばね部材１１０により前記前枠２０の第４取付部Ｔ４と球受け皿部材８０の第４係合部Ｋ４の係合時には、前記第２鍵部材１００の操作突部１０３に力を加えない限り、前記第４係合部Ｋ４が第４取付部Ｔ４から抜けないような構造になっている。なお、図示の例では、ばね部材１１０の一端が第２鍵部材の操作突部１０３に、他端が取付部材９０の裏面側に設けられたフック部９９にそれぞれ取り外し自在に掛着されている。
【００４１】
一方、前記第４取付部Ｔ４と第４係合部Ｋ４の係合状態を解除するためには、まず前記窓部を介して取付部材９０の裏面側に突出した第２鍵部材１００の操作突部１０３をその主軸部１０１の後退方向（図では上方）である前記ストッパ部に向けて移動させる。続いて前記第２鍵部材１００の操作突部１０３を前記回動操作切欠部内で回動させ、その後操作突部１０３を回動させたままの状態で該操作突部１０３を前記移動操作切欠部内で上方へ押し上げることにより、第２鍵部材１００をその主軸部１０１の後退方向に移動させる。これにより、図５（Ｂ）のように、前記第２鍵部材１００の第４係合部Ｋ４を第４取付部Ｔ４から抜去して係合状態が解除される。
【００４２】
なお、上述の説明から理解できるように、この実施例では、前記前枠２０の第３取付部Ｔ３と球受け皿部材８０の第３係合部Ｋ３の係合状態を拘束するようになっていないため、前記前枠２０の第４取付部Ｔ４と球受け皿部材８０の第４係合部Ｋ４の係合が解除されれば、前記第３取付部Ｔ３と第３係合部Ｋ３の係合も解除可能となる。
【００４３】
なお、本発明は、上記実施例に限定されるものではなく、発明の趣旨を逸脱しない範囲内において構成の一部を適宜に変更して実施することができる。また、上記実施例では、パチンコ遊技機を用いて説明してきたが、本発明はこれに限定されず、コイン遊技機やスロットマシン等であってもよく、遊技機本体に取り付けられた前面部材を取り外し可能な構成とする適宜の遊技機に適用することができる。
【図面の簡単な説明】
【００４４】
【図１】この発明の一実施例の鍵構造を備えた遊技機のガラス枠部材の一部を切り欠いて表した全体正面図である。
【図２】そのガラス枠部材の開放状態を表す斜視図である。
【図３】鍵構造の要部を表す図２の符号３部分の拡大図である。
【図４】図３の鍵構造の係合状態及び係合解除状態を表す正面図である。
【図５】窓部の別の実施例を示す拡大図である。
【図６】ガラス枠部材下部及び球受け皿部材の取付構造を表す正面図である。
【図７】図６の取付部材を示す断面図である。
【図８】従来の遊技機における鍵構造を表す要部の正面図である。
【符号の説明】
【００４５】
１０  遊技機
２０  前枠
２４  第１取付部材
２６  係合穴
３０  ガラス枠部材
３２  枠板部
３３  保持部
３４  第１鍵部材（Ｌ字状部材）
３５  主軸部
３６  係合先端部
３７  操作突部
４０  窓部
４１  ストッパ部
４２  回動操作切欠部
４３  移動操作切欠部
４４  後退掛止部
４５  ばね部材
８０  球受け皿部材
Ｔ１  第１取付部
Ｔ２  第２取付部
Ｔ３  第３取付部
Ｔ４  第４取付部
Ｋ１  第１係合部
Ｋ２  第２係合部
Ｋ３  第３係合部
Ｋ４  第４係合部
【図１】
2005152680.tif 000003
【図２】
2005152680.tif 000004
【図３】
2005152680.tif 000005
【図４】
2005152680.tif 000006
【図５】
2005152680.tif 000007
【図６】
2005152680.tif 000008
【図７】
2005152680.tif 000009
【図８】
2005152680.tif 000010